(57)【特許請求の範囲】
【請求項１】
無線端末がマクロ基地局からコアネットワーク経由でローカルネットワークに接続するリモートアクセス方法において、
無線端末が、自端末の識別子および接続要求先のローカルネットワーク名の記述された接続要求をマクロ基地局からコアネットワークへ送信する手順と、
前記コアネットワーク上のサーバが、前記接続要求に応答して、ページング要求を前記ローカルネットワークの小型基地局へ送信する手順と、
前記小型基地局が、前記ページング要求に応答して、前記ローカルネットワークに接続されたローカルゲートウェイと接続された無線モジュールをページングする手順と、
前記無線モジュールが、前記ページングに応答して、前記ローカルゲートウェイ側からのセキュリティトンネル構築を前記ローカルゲートウェイに要求する手順と、
前記ローカルゲートウェイが、前記セキュリティトンネル構築の要求に応答して、前記コアネットワークとの間にセキュリティトンネルを構築する手順と、
前記無線端末が、前記セキュリティトンネルを利用して前記ローカルネットワークへの接続を確立する手順とを含み、
前記コアネットワーク上のサーバが、前記無線端末および前記無線モジュールの位置情報を管理する位置管理サーバならびに認証サーバを含み、
前記コアネットワーク上のサーバでの手順では、
前記無線端末の位置情報を管理する位置管理サーバが、前記無線端末から前記接続要求を受信して認証サーバへ転送し、
前記認証サーバが、前記接続要求に応答して、前記無線モジュールへアクセスするためのGW情報および前記セキュリティトンネル構築の要求を含む前記ページング要求を、前記無線モジュールの位置情報を管理する位置管理サーバへ送信し、
前記無線モジュールの位置情報を管理する位置管理サーバが、前記ページング要求を前記小型基地局へ送信することを特徴とするローカルネットワークへのリモートアクセス方法。
【請求項２】
前記ローカルネットワークのローカルゲートウェイが、自身に接続されている無線モジュールへアクセスするための情報を、当該ローカルネットワークへリモートアクセスするためのGW情報として前記コアネットワーク上のサーバへ予め登録する手順を含むことを特徴とする請求項１に記載のローカルネットワークへのリモートアクセス方法。
【請求項３】
前記ローカルネットワークとコアネットワークとがインターネットを介して接続され、前記インターネットがコアネットワークのセキュリティゲートウェイに接続され、前記セキュリティトンネルが、前記ローカルゲートウェイとセキュリティゲートウェイとの間に構築されることを特徴とする請求項１または２に記載のローカルネットワークへのリモートアクセス方法。
【請求項４】
前記ローカルネットワークがコアネットワークのセキュリティゲートウェイに接続され、前記セキュリティトンネルが、前記ローカルゲートウェイとセキュリティゲートウェイとの間に構築されることを特徴とする請求項１または２に記載のローカルネットワークへのリモートアクセス方法。
【請求項５】
無線端末がマクロ基地局からコアネットワーク経由でローカルネットワークに接続するリモートアクセスシステムにおいて、
ローカルネットワークのローカルゲートウェイに接続された無線モジュールと、
ローカルネットワークの小型基地局と、
無線端末から送信された、該無線端末の識別子および接続要求先のローカルネットワーク名の記述された接続要求に応答して、ページング要求を前記小型基地局へ送信するコアネットワーク上のサーバとを具備し、
前記小型基地局は、前記ページング要求に応答して前記無線モジュールをページングし、
前記無線モジュールは、前記ページングに応答して、前記ローカルゲートウェイ側からのセキュリティトンネル構築を前記ローカルゲートウェイに対して要求し、
前記ローカルゲートウェイは、前記セキュリティトンネル構築の要求に応答して前記コアネットワークとの間にセキュリティトンネルを構築し、
前記無線端末は、前記セキュリティトンネルを利用して前記ローカルネットワークへの接続を確立し、
前記コアネットワーク上のサーバは、前記無線端末および前記無線モジュールの位置情報を管理する位置管理サーバならびに認証サーバを含み、
前記無線端末の位置情報を管理する位置管理サーバは、前記無線端末から前記接続要求を受信して認証サーバへ転送し、
前記認証サーバは、前記接続要求に応答して、前記無線モジュールへアクセスするためのGW情報および前記セキュリティトンネル構築の要求を含む前記ページング要求を、前記無線モジュールの位置情報を管理する位置管理サーバへ送信し、
前記無線モジュールの位置情報を管理する位置管理サーバは、前記ページング要求を前記小型基地局へ送信することを特徴とするリモートアクセスシステム。
【発明の詳細な説明】
【技術分野】
【０００１】
本発明は、ローカルネットワークへのリモートアクセス方法およびシステムに係り、特に、外出先や移動先からホームネットワークや企業ネットワークなどのローカルネットワークへリモートアクセスする方法およびシステムに関する。
【背景技術】
【０００２】
家庭や企業などのローカルネットワークには、ファイルサーバやメディアサーバなどの情報端末が配置されており、これらの情報端末へ多様な場所からアクセスする技術が注目を集めている。
【０００３】
セルラー通信では、カバレージの補強やトラヒックのオフロードなどを目的として、フェムトセルなどと呼ばれる小型基地局が導入されている。これまで、小型基地局を経由したセルラー通信はオペレータのモバイルコアネットワークにてIP終端されインターネットなど外部のネットワークとの通信を実現していたため、ローカルネットワークへの接続は難しかった。これに対して、IP通信を終端させる機能を備えたローカルゲートウェイを小型基地局と共にローカルネットワークに配置し、モバイルコアネットワークを経由せずに家庭や企業のローカルネットワークに前記小型基地局経由でアクセスする方法が検討されている。
【０００４】
上記のように小型基地局と共にIP終端装置をローカルネットワークに配置すると、ローカルネットワークに接続するためのIP終端点を外出先や移動先でのセルラー網通信でも提供可能となるため、小型基地局のある家庭や企業からだけではなく、外出先や移動先からローカルネットワークにアクセスすることも期待される。
【０００５】
また、これらに関連する技術として、これまでのように人が使う通信ではなく、通信モジュールなどが自動的に通信を行う「マシンタイプ通信」と呼ばれる通信技術が知られている。通信モジュールは基本的にはセルラー通信機能を備え、セルラー無線アクセス経由で基地局を介して通信をすることができ、例えば、前述のようなリモートからアクセスする際の一通信手段としても期待できる。なお、マシンタイプ通信を想定した端末では、通信量が少なく、また人が行う通信のような多様な通信パターンに対応する必要がないので構成を簡単化できる。
【０００６】
非特許公報１には、小型基地局におけるIP終端装置とコアネットワークとの間にセキュリティトンネルを構築することで、マクロ基地局からローカルネットワークへ安全に接続する技術が開示されている。
【０００７】
特許文献１には、小型基地局間の通信において、小型基地局がNAT配下の環境にある場合でも、SIPメッセージを利用することでお互いを発見し、コアネットワークを経由しない直接の通信経路において通信を行う技術が開示されている。
【０００８】
非特許公報２には、本来はコアネットワーク内に配置され、セルラー通信におけるIP終端機能を持つゲートウェイと同等の機能を持つローカルゲートウェイを小型基地局と共に配置することにより、3GPPで規定される3Gや3.9Gでのセルラー通信において、小型基地局からの通信をコアネットワークを経由させず、ローカルネットワークやインターネットに直接接続する技術が開示されている。前記ローカルゲートウェイは、コアネットワークと連携した動作や、ユーザ端末に影響を与えずにIP終端のためのシグナリング動作を行うため、コアネットワークとの間にセキュリティトンネルを構築することがある。また、前記ローカルゲートウェイは、小型基地局と同じノード内に同居配置される他、別のノードとしても配置することも可能である。
【先行技術文献】
【特許文献】
【０００９】
【特許文献１】特開２０１０−８７６１２号公報
【非特許文献】
【００１０】
【非特許文献１】千葉、横田、宮永、"広域基地局からフェムトセルへのセキュリティリモートアクセスに関する一検討"、電子情報通信学会、2010年電子情報通信学会通信ソサイエティ大会、B-7-41
【非特許文献２】3GPP TR 23.829 " Local IP Access and Selected IP Traffic Offload "
【発明の概要】
【発明が解決しようとする課題】
【００１１】
特許文献１では、マクロ基地局から、小型基地局と共に配置されるセルラー通信のIP終端装置とコアネットワークとの間にセキュリティトンネルを構築し、このトンネルを利用してリモートアクセスを実現する。
【００１２】
この手法では、リモートアクセスを実現するためには、ローカルネットワーク上のIP終端装置とコアネットワークとの間に構築されたセキュリティトンネルを常に維持しなければならない。そのため、IP終端装置ならびにコアネットワークの処理負荷はリモートアクセスの有無にかかわらず常に発生してしまう。
【００１３】
一方、このようなトンネルが確保されていない場合、通常はNAT配下のローカルネットワークのIP終端装置へのトンネルをコアネットワーク側から構築することは困難である。特許公報１では、ともにNAT配下の小型基地局間に通信経路を構築するために、NAT内部からSIPシグナリングを利用することで経路を構築しているが、そのためのSIPシグナリングの拡張の他、ユーザ端末がNAT内部に不在の場合は実現が困難となる。
【００１４】
本発明の目的は、上記した従来技術の課題を解決し、外出先などでマクロ基地局からコアネットワークを介して家庭や企業のローカルネットワークへアクセスする際、コアネットワークとローカルネットワークとの間に経路を構築、維持するための処理負荷を最小限に抑えながらリモートアクセスを実現できるローカルネットワークへのリモートアクセス方法およびシステムを提供することにある。
【課題を解決するための手段】
【００１５】
上記の目的を達成するために、本発明は、無線端末がマクロ基地局からコアネットワーク経由でローカルネットワークに接続するリモートアクセス方法において、以下のような構成を発明特定事項とした点に特徴がある。
【００１６】
(1)無線端末が、自端末の識別子および接続要求先のローカルネットワーク名の記述された接続要求をマクロ基地局からコアネットワークへ送信する手順
【００１７】
(2)前記コアネットワーク上のサーバが、前記接続要求に応答して、ページング要求を前記ローカルネットワークの小型基地局へ送信する手順であって、前記コアネットワーク上のサーバが、前記無線端末および前記無線モジュールの位置情報を管理する位置管理サーバならびに認証サーバを含み、前記無線端末の位置情報を管理する位置管理サーバが、前記無線端末から前記接続要求を受信して認証サーバへ転送し、前記認証サーバが、前記接続要求に応答して、前記無線モジュールへアクセスするためのGW情報および前記セキュリティトンネル構築の要求を含む前記ページング要求を、前記無線モジュールの位置情報を管理する位置管理サーバへ送信し、前記無線モジュールの位置情報を管理する位置管理サーバが、前記ページング要求を前記小型基地局へ送信する手順
【００１８】
(3) 前記小型基地局が、前記ページング要求に応答して、前記ローカルネットワークに接続されたローカルゲートウェイと接続された無線モジュールをページングする手順
【００１９】
(4)前記無線モジュールが、前記ページングに応答して、前記ローカルゲートウェイ側からのセキュリティトンネル構築を前記ローカルゲートウェイに要求する手順
【００２０】
(5)前記ローカルゲートウェイが、前記セキュリティトンネル構築の要求に応答して、前記コアネットワークとの間にセキュリティトンネルを構築する手順
【００２１】
(6)前記無線端末が、前記セキュリティトンネルを利用して前記ローカルネットワークへの接続を確立する手順
【発明の効果】
【００２２】
本発明によれば、無線端末が移動先等でコアネットワーク経由でのローカルネットワークへの接続を要求すると、この接続要求に応答してローカルネットワークのローカルGWと接続されている無線モジュールがページングされ、ローカルGWが無線モジュールからの要求に応答して、ローカルGW側からコアネットワークとの間にセキュリティトンネルを構築する。したがって、ローカルネットワークとコアネットワークとの間にセキュリティトンネルを常に維持することなく、無線端末が外出先からローカルネットワークへの接続を要求するだけで、その都度構築されるセキュリティトンネルを利用してローカルネットワークとの接続を確立できるようになる。
【図面の簡単な説明】
【００２３】
【図１】本発明のローカルネットワークへのリモートアクセス方法が適用されるネットワークの構成（その１）を示したブロック図である。
【図２】ローカルGWおよび無線モジュールの主要部の構成を示した機能ブロック図である。
【図３】本発明のローカルネットワークへのリモートアクセス方法が適用されるネットワークの構成（その２）を示したブロック図である。
【図４】本発明の一実施形態の動作を示したシーケンスフローである。
【発明を実施するための形態】
【００２４】
以下、図面を参照して本発明の実施の形態について詳細に説明する。図１は、本発明が適用されるネットワークの一実施形態の構成を示したブロック図であり、ローカルNWとモバイルコアNWとがインターネットを介して接続されている。
【００２５】
無線端末１は、セルラー通信用の無線インタフェースおよび接続認証用の認証情報を備え、マクロ基地局５や小型基地局２を経由して接続シグナリング処理を実行することで通信セッションを確立し、インターネットなどの外部ネットワークとの通信が可能になる。また、接続要求の際には接続先のネットワークをアクセスポイント名として指定できる。アクセスポイント名としては、インターネットやローカルNWが指定可能である。
【００２６】
マクロ基地局５，１１は、無線端末１に移動先で無線接続を提供するとともに、通信データをコアNWへ転送する。また、配下の無線端末１に対して通知情報を配信するページング機能を備える。アクセスGW１０は、無線端末１がマクロ基地局５を介してコアNWに接続する際の入口ルータとして動作する。また、アクセスGW１０から出口ルータとなるローカルGW３への接続確立を行う機能も備える。
【００２７】
ローカルGW３は、セルラー通信におけるIP終端装置となり、コアNWなどからの出口となるゲートウェイとして機能する。また、アクセスGW１０からのデータを受けて宛先となるローカルNWに転送する他、コアNWとの連携やシグナリング実行のためのセキュリティトンネルの構築機能を備える。セキュリティトンネル構築後には、ローカルGW３のアドレス情報を認証サーバ８に登録する機能を備える。
【００２８】
ここで、本実施形態では一意に識別可能な端末識別子を持つ無線モジュール４がローカルGW３に実装、接続されている。前記無線モジュール４は、セルラー網経由でのページング受信をトリガに、当該ページングに含まれるトンネル構築要求に応答して、ローカルGW３に対して当該ローカルGW３側からのセキュリティトンネル構築を行なわせることができる。また、コアNW内の認証サーバ８に対して、ページングのための端末識別子とその位置情報を登録する機能を備える。
【００２９】
ローカルNWの小型基地局２は、無線端末１に対する無線接続を提供するとともに、通信データをモバイルコアNWへ転送する機能を備える。また、配下の無線端末１へ通知情報を配信するページング機能を備える。さらに、IP終端装置としてのローカルGW３が存在する場合には、無線端末１のユーザデータ通信をコアNWを介さずに直接ローカルGW３に転送する機能を持つ。この小型基地局２は、ローカルGW３と同じノードとして構成され、内部信号として相互に通信したり、あるいは別ノードとして配置され、IPなどを使って相互に通信したりすることもある。
【００３０】
移動管理ノード７，９は、無線モジュール４および無線端末１が、それぞれ小型基地局２やマクロ基地局５を介してコアNWに接続する際に、シグナリングなどを実行して、その位置情報を管理する。また、無線モジュール４に対するページング要求を受信した際に、既登録の位置情報に基づいて接続可能な基地局を識別し、当該基地局宛にページング要求を送信する機能を備える。
【００３１】
認証サーバ８は、無線端末１の契約者情報や接続のための設定情報などを保持し、移動管理ノード７，９からの要求に応答して各情報を返信する。設定情報としては、無線端末１が希望する接続先のアクセスポイント名、およびそれに対応するIP終端先となるローカルGW３のアドレス情報などが含まれる。また、ローカルGW３のアドレス情報がない場合は、代わりにローカルGW３に接続されている無線モジュール４の端末識別子および位置情報を登録し、ローカルNWへの接続要求があった場合に、その端末識別子および位置情報に基づいてページングを行うことができる。
【００３２】
セキュリティGW６は、小型基地局２やローカルGW３がコアNWと連携した機能やシグナリング、トラヒック転送などを行う際に、セキュアな通信路としてセキュリティトンネルをローカルGW３との間に構築する機能を備える。
【００３３】
図２は、前記ローカルGW３および無線モジュール４の主要部の構成を示した機能ブロック図であり、本発明の説明に不要な構成は図示が省略されている。
【００３４】
無線モジュール４において、ページングパラメータ記憶部４０１には、当該無線モジュール４をセルラー網経由でページングするために必要な情報として、当該無線モジュール４の端末識別子ID4および位置情報P4が登録されている。ページングパラメータ通知部４０２は、ローカルGW３との接続またはローカルGW３からの要求をトリガとして、前記ページングパラメータをローカルGW３へ通知する。
【００３５】
セルラー無線IF４０４は、セルラー網との通信を制御する。ページング検知部４０５は、セルラー網経由で自身の端末識別子ID4を宛先として送信されたページングを検知する。ページング解析部４０６は、自身宛のページングに記述されたメッセージを解析する。本実施形態では、メッセージとしてセキュリティトンネルの構築要求が、その接続先（ここでは、セキュリティGW６）と共に記述されている。処理要求部４０４は、セキュリティGW６との間にローカルGW３側からセキュリティトンネルを構築する要求をIF４０５経由でローカルGW３へ送信する。
【００３６】
ローカルGW３において、ページングパラメータ取得部３０２は、前記無線モジュール４から通知されるページングパラメータをIF３０１経由で取得する。ローカルGW情報登録部３０３は、前記通知されたページングパラメータをモバイルコアNWの認証サーバ８へローカルGW情報として予め登録する。
【００３７】
処理受付部３０４は、前記無線モジュール４から通知されるセキュリティトンネルの構築要求をIF３０１経由で受け付ける。セキュリティトンネル構築部３０５は、前記セキュリティトンネルの構築要求に応答して、セキュリティGW６との間にセキュリティトンネルを構築する。
【００３８】
図３は、本発明が適用されるネットワークの他の一実施形態の構成を示したブロック図であり、前記と同一の符号は同一または同等部分を表しているので、その説明は省略する。本実施形態では、ローカルNWとモバイルコアNWとがインターネットを介さずに直接接続されて点に特徴がある。
【００３９】
次いで、図４のシーケンスフローを参照して本発明のリモートアクセス動作について詳細に説明する。
【００４０】
[事前処理]
時刻t1では、ローカルNWのローカルGW３に接続された無線モジュール４を無線端末１がNAT１２の外側（移動先）からページングするために必要なローカルGW情報が、前記ローカルGW３のローカルGW情報登録部３０３からセキュリティGW６を介して認証サーバ８へ登録される。
【００４１】
本実施形態では、ページングに必要なローカルGW情報として、無線モジュール４の端末識別子ID4および位置情報P4のペアが登録される。なお、本実施形態では無線モジュール４の位置情報P4として、当該無線モジュール４が接続できる小型基地局２の識別子が用いられる。小型基地局２は、自身の識別子を定期的に通知しているので、無線モジュール４は小型基地局２との間に無線接続を確立することなく位置情報を取得できる。なお、セルラー通信では通信可能な無線装置の位置情報がコアNWの移動管理ノード（７，９）で管理されているので、その場合には無線モジュール４の端末識別子ID4のみが登録されるようにしても良い。
【００４２】
このようなローカルGW情報の登録処理は、ある無線端末が小型基地局２を経由してローカルGW３との接続を確立し、ローカルNWとの通信を行った後、通信の終了と共にローカルGW３との接続を切断する際にローカルGW３から実行することが可能であり、その後、ローカルGW３はコアNWとのセキュリティトンネルを切断できる。
【００４３】
時刻t2では、前記ローカルGW３から前記GW情報[ID4，P4]を受信した認証サーバ８において、当該ローカルGW情報[ID4，P4]が、無線端末１からローカルNWへのリモートアクセス要求に応答して、前記無線モジュール４をページングするための固有情報として登録される。
【００４４】
なお、ローカルGW３とセキュリティGW６との間にセキュリティトンネルが構築されており、コアNWからのアクセス経路が存在するときには、ローカルGW３のアドレス情報も合わせて保持することが可能である。その場合、セキュリティトンネルが切断されると、そのアドレス情報も削除される。
【００４５】
本実施形態では、これらの事前処理によって、ローカルGW３への接続がない場合にはセキュリティGW６によるセキュリティトンネルの維持が不要となるので、その管理コストが不要になる。
【００４６】
[接続処理]
時刻t3において、移動先の無線端末１が端末ユーザによる接続要求操作に応答して、ローカルNWとの接続を要求するメッセージを送信すると、当該接続要求が無線接続中のマクロ基地局５からモバイルコアNWの移動管理ノード９へ送信される。この接続要求メッセージには、無線端末１の識別子を含む接続認証情報、および接続先のアクセスポイント名としてローカルNWを指定する情報が記述されている。
【００４７】
時刻t4では、前記接続要求メッセージを受信した移動管理ノード９が、接続確立のための情報を認証サーバ８へ問い合わせる。そのとき、無線端末１から受信した端末識別子を含む接続認証情報およびローカルNWのアクセスポイント名が認証サーバ８へ通知される。時刻t5では、前記問い合わせを受けた認証サーバ８が、無線端末１の識別子を含む接続認証情報およびローカルNWのアクセスポイント名に基づいて、ローカルNWへ接続するための情報を参照する。
【００４８】
ここでは、ローカルGW３のアドレス情報が認証サーバ８に未登録なので、ローカルGW３と接続されている無線モジュール４の端末識別子ID4および位置情報P4（前記ローカルGW情報）が、無線モジュール４をページングするために必要な情報として取得される。そして、当該無線モジュール４が予め位置登録されている移動管理ノード７へ、ページング要求として送信される。このページング要求には、無線モジュール４の端末識別子および位置情報（前記ローカルGW情報[ID4，P4]）と共に、ローカルGW３に対して当該ローカルGW３側からのセキュリティトンネル構築を要求するメッセージが記述される。
【００４９】
なお、本実施形態では無線モジュール４が移動管理ノード７に位置登録され、無線端末１が移動先で移動管理ノード９に位置登録されているので、前記メッセージ要求に関する情報が複数の移動管理ノード７，９間で送受されるが、無線モジュール４および無線端末１が同一の移動管理ノードに位置登録されていれば、複数の移動管理ノード間で情報を送受する必要はない。
【００５０】
時刻t6では、前記ページング要求を受信した移動管理ノード７において、当該ページング要求を転送する小型基地局２が前記位置情報P4に基づいて特定され、その宛先へページング要求が転送される。
【００５１】
時刻t7では、前記ページング要求を受信した小型基地局２から、無線モジュール４の端末識別子ID4および前記ローカルGW側からのセキュリティトンネル構築を要求するメッセージの記述されたページング要求がブロードキャストで配信される。なお、本実施形態では小型基地局２がページング要求の転送先として選択されたが、無線モジュール４に適切にページング要求を転送できるのであれば、マクロ基地局１１がページング要求の転送先として選択されるようにしても良い。
【００５２】
時刻t8では、前記ページング要求が前記セルラー無線IF４０４で受信された無線モジュール４のページング検知部４０５において、当該ページング要求に含まれる端末識別子に基づいて、当該メッセージが自身宛であるか否かが判定される。自身宛のページング要求であれば、前記メッセージ解析部４０６によりメッセージが解析され、セキュリティGW６を接続先とするセキュリティトンネルの構築要求であることが認識される。前記処理要求部４０７は、セキュリティGW６を接続先とするセキュリティトンネルの構築要求を、IF４０３経由でローカルGW３へ送信する。
【００５３】
ローカルGW3では、前記セキュリティトンネルの構築要求が処理受付部３０４で受け付けられ、セキュリティトンネル構築部３０５により、セキュリティGW６との間にセキュリティトンネルを構築する処理が開始される。
【００５４】
なお、無線モジュール４がページング要求を受信して特定の処理を行うことは、セルラー通信におけるメール着信処理に似ている。すなわち、セルラー通信では、コアNWはメールサーバからメール着信が通知されると、宛先の端末に対してメール着信を知らせる情報と共にページング要求を送信する。ページング要求を受信した端末は、これをトリガにメールアプリケーションを起動し、メールサーバへアクセスしてメールを取得する。
【００５５】
時刻t9では、ローカルGW３からセキュリティGW６に対してセキュリティトンネルの構築処理が実施される。ローカルNWはNAT配下にあることが多いが、ここではローカルNW内のローカルGW３からの通信となるので、セキュリティGW６へのアクセスが可能となる。
【００５６】
このようにして、ローカルGW３とセキュリティGW６との間にセキュリティトンネルが構築されると、時刻t10では、セキュリティGW６が認証サーバ８にアクセスしてローカルGWのアドレス情報を登録する。
【００５７】
時刻t11では、認証サーバ８が移動管理ノード９に対して、ローカルGW３のアドレス情報を応答する。時刻t12では、移動管理ノード９が無線端末１のコアNWへの入り口となるアクセスGW１０に対して、前記取得したローカルGW３のアドレスを接続先として接続要求を送信する。
【００５８】
時刻t13では、前記アクセスGW１０がローカルGW３に対して接続要求を送信する。このとき、ローカルGW３とセキュリティGW６との間にはセキュリティトンネルが構築されているため、この接続要求はセキュリティトンネルを介して届けることができる。
【００５９】
時刻t14では、ローカルGW３が前記接続要求に応答して、無線端末１との通信のための設定を行うとともに、アクセスGW１０に接続応答を返信する。また、アクセスGW１０も移動管理ノード９に接続応答する。移動管理ノード９は接続の確立を確認し、マクロ基地局５を介して、無線端末１へローカルNWへの接続要求が受け入れられたことを応答する。
【００６０】
時刻t15では、上記の一連の処理により、無線端末１とローカルNWとの間に、マクロ基地局５、アクセスGW１０、セキュリティGW６、ローカルGW３を中継する通信経路が確立されるので、無線端末１は移動先からローカルNWへのアクセスが可能となる。
【符号の説明】
【００６１】
１…無線端末，２…小型基地局，３…ローカルGW，４…無線モジュール，５…マクロ基地局，６…セキュリティGW，７、９…移動管理ノード，８…認証サーバ，１０…アクセスGW
【図１】
0005690239.tif 000002
【図２】
0005690239.tif 000003
【図３】
0005690239.tif 000004
【図４】
0005690239.tif 000005